(57)【要約】【課題】水中の酸素含有量を高め、人体への吸収及び新陳代謝を促すことを可能にする高酸素含有浄水装置を提供する。【解決手段】フィルター１は、第一流入口１１と第一流出口１２とを有している。気体液体混合装置２は、ポンプ２１と螺旋管２４とを有している。ポンプ２１は、第二流入口２１１と第二流出口２１２とを有している。第二流入口２１１と第一流出口１２とは互いに繋がり、かつ第二流入口２１１と第一流出口１２との間には少なくとも一つの第一給気弁２３を有している。第二流出口２１２は、給水道２２に接続している。第一給気弁２３によって空気をポンプ２１に導入し、かつポンプ２１で加圧を行うことにより空気と原水に対し気体液体混合を行い、そののちそれらを第二流出口２１２から給水道２２に輸送する。螺旋管２４は給水道２２に接続し、螺旋管２４から酸素含有量が高い原水を輸送することが可能である。【選択図】図１
0003142261.tif 000002
【実用新案登録請求の範囲】
【請求項１】
少なくとも一つのフィルターと気体液体混合装置とを備え、
前記フィルターは、第一流入口と第一流出口とを有し、
前記気体液体混合装置は、ポンプと螺旋管とを有し、
前記ポンプは、第二流入口と第二流出口とを有し、
前記第二流入口と前記第一流出口とは互いに繋がり、かつ前記第二流入口と前記第一流出口との間には少なくとも一つの第一給気弁を有し、
前記第二流出口は、給水道に接続し、
前記第一給気弁によって空気を前記ポンプに導入し、かつ前記ポンプで加圧を行うことにより空気と原水に対し気体液体混合を行い、それらを前記第二流出口から前記給水道に輸送し、
前記螺旋管は、前記給水道に接続し、
前記給水道の中の気体液体混合が行われた原水は前記螺旋管の中に流入し、再び気体液体混合が行われ、かつ空気と原水とは前記螺旋管の中において交錯および旋転によって混合され、前記螺旋管から酸素含有量が高い原水を輸送することが可能であることを特徴とする高酸素含有浄水装置。
【請求項２】
前記ポンプは高圧ポンプであることを特徴とする請求項１に記載の高酸素含有浄水装置。
【請求項３】
前記第一給気弁は逆流止め弁であることを特徴とする請求項１に記載の高酸素含有浄水装置。
【請求項４】
前記給水道から前記螺旋管に流入する水流量と前記給水道から前記螺旋管に流入する出水圧力とを同時に調節するため、前記給水道の中に調節弁を増設することが可能であることを特徴とする請求項１に記載の高酸素含有浄水装置。
【請求項５】
前記調節弁は流量制限弁であることを特徴とする請求項４に記載の高酸素含有浄水装置。
【請求項６】
前記ポンプによって第一次の気体液体混合が行われた原水を保存するため前記給水道の中に貯水圧力ドラムを増設することが可能であり、かつ前記貯水圧力ドラムから原水を輸送し、二次増圧を行うため前記貯水圧力ドラムによって圧力を保持することが可能であることを特徴とする請求項１に記載の高酸素含有浄水装置。
【請求項７】
前記給水道の中に少なくとも一つの横式フィルターを装着し、前記螺旋管を前記横式フィルターの中に配置し、前記螺旋管の両端を前記横式フィルターの第三流入口と第三流出口に別々に接続することが可能であることを特徴とする請求項１に記載の高酸素含有浄水装置。
【請求項８】
前記気体液体混合装置はさらに気体液体混合ドラムを有し、前記気体液体混合ドラムは制水弁座を配置することにより前記気体液体混合ドラムの中に密閉空間が形成され、前記螺旋管は前記密閉空間の中に設置され、前記制水弁座は流入部と流出部とを有し、前記流入部は前記給水道及び前記螺旋管に接続することを特徴とする請求項１に記載の高酸素含有浄水装置。
【請求項９】
前記制水弁座は前記気体液体混合ドラムの底部に配置されることを特徴とする請求項８に記載の高酸素含有浄水装置。
【請求項１０】
前記螺旋管は一端が前記制水弁座の上部に装着されることを特徴とする請求項８に記載の高酸素含有浄水装置。
【請求項１１】
前記制水弁座は前記気体液体混合ドラムの前記密閉空間に接続する導流孔を有することを特徴とする請求項８に記載の高酸素含有浄水装置。
【請求項１２】
前記螺旋管はさらに高圧出水口を有し、前記高圧出水口は扁平状の開口端を有するため、前記螺旋管の前記高圧出水口の前記開口端から原水を送り出すことが可能であることを特徴とする請求項１に記載の高酸素含有浄水装置。
【請求項１３】
前記螺旋管はさらに高圧出水口を有し、前記高圧出水口は扁平状の開口端を有するため、前記螺旋管の前記高圧出水口の前記開口端から原水を送り出すことが可能であることを特徴とする請求項８に記載の高酸素含有浄水装置。
【請求項１４】
前記高圧出水口は前記気体液体混合ドラムの頂部の一側に対応することを特徴とする請求項１３に記載の高酸素含有浄水装置。
【請求項１５】
前記気体液体ドラムはさらに少なくとも一つの第二給気弁を有し、前記第二給気弁によって第二次の空気導入を行い、前記密閉空間において気体液体混合を行うことを特徴とする請求項８に記載の高酸素含有浄水装置。
【請求項１６】
前記第二給気弁は逆流止め弁であることを特徴とする請求項１５に記載の高酸素含有浄水装置。
【請求項１７】
前記気体液体混合ドラムの中に複数の顆粒状のフィルターを配置し、前記顆粒状のフィルターによって前記気体液体混合ドラムの中の原水をろ過し、前記顆粒状のフィルターを互いに衝突させることにより気体液体混合をより均一かつ持続的に行い、水中の酸素含有量をより高くすることが可能であることを特徴とする請求項８に記載の高酸素含有浄水装置。
【考案の詳細な説明】
【技術分野】
【０００１】
本考案は浄水装置に関し、特に水中の酸素含有量を高め、水中に溶けた空気によって微細気泡を発生させることを可能にする浄水装置に関するものである。
【背景技術】
【０００２】
図８に示すように、従来の浄水装置９は流入口９１と流出口９２とを有する。原水を濾過しようとする場合、流入口９１によって原水を浄水装置９に流入させ、濾過してそののち濾過した浄水を流出口９２から流出させれば、使用者が濾過した浄水を直接飲用するか沸かして飲用することが可能である。
上述の浄水装置９は水中の不純物の濾過のみを行い、水中の酸素含有量をより高くすることはできない。従って、如何にして水中の酸素含有量を増加させ、かつ使用者に長期にわたって飲用させることによって人体の酸素含有量を増加せしめることが本考案の解決しようとする問題である。
【考案の開示】
【考案が解決しようとする課題】
【０００３】
本考案の主な目的は、上述の問題を解決するため、従来の浄水装置を改良することにより水中の不純物の濾過を行うほかに水中の酸素含有量を高め、人体への吸収及び新陳代謝を促すことを可能にする高酸素含有浄水装置を提供することである。
【課題を解決するための手段】
【０００４】
本考案は、少なくとも一つのフィルターと気体液体混合装置とを備えている。フィルターは、第一流入口と第一流出口とを有している。気体液体混合装置は、ポンプと螺旋管とを有している。ポンプは、第二流入口と第二流出口とを有している。第二流入口と第一流出口とは互いに繋がり、かつ第二流入口と第一流出口との間には少なくとも一つの第一給気弁を有している。第二流出口は、給水道に接続している。第一給気弁によって空気をポンプに導入し、かつポンプで加圧を行うことにより空気と原水に対し気体液体混合を行い、そののちそれらを第二流出口から給水道に輸送する。螺旋管は、給水道に接続している。給水道の中の気体液体混合が行われた原水は螺旋管の中に流入し、再び気体液体混合が行われ、かつ空気と原水とは螺旋管の中において交錯および旋転によって混合されるため、螺旋管から酸素含有量が高い原水を輸送することが可能である。
【考案を実施するための最良の形態】
【０００５】
（第一実施例）
本考案の第一実施例による高酸素含有浄水装置を図１に示す。高酸素含有浄水装置は、少なくとも一つのフィルター１と気体液体混合装置２を備える。フィルター１は、第一流入口１１と第一流出口１２を有し、かつフィルター１の内部に図示しない芯部を有する。気体液体混合装置２は、ポンプ２１と螺旋管２４を有する。
【０００６】
ポンプ２１は、第二流入口２１１と第二流出口２１２を有する。第二流入口２１１と第一流出口１２とは互いに繋がり、かつ第二流入口２１１と第一流出口１２との間には少なくとも一つの第一給気弁２３を有する。第二流出口２１２は、給水道２２に接続し、第一給気弁２３によって空気をポンプ２１に導入し、かつポンプ２１で加圧を行うことにより、空気と原水に対し第一次の気体液体混合を行い、原水の中に酸素を含有する微気泡を生じさせる。そののち、数多くの微気泡を含有する原水は第二流出口２１２によって給水道２２に輸送される。本実施例では、ポンプ２１は高圧ポンプであり、第一給気弁２３は原水が逆流して第一給気弁２３から流出することを防止可能な逆流止め弁である。
【０００７】
螺旋管２４は、給水道２２に接続している。給水道２２の中の第一次の気体液体混合が行われた原水は、螺旋管２４の中に流入し、螺旋管２４において第二次の気体液体混合が行われる。空気と原水とは、螺旋管２４の中において交錯および旋転によって混合されるため、水中に空気をより均一に混合し、螺旋管２４から酸素含有量が高い原水を輸送することが可能である。
上述した通り、本実施例は螺旋管２４、ポンプ２１及び第一給気弁２３の組み合わせによって水中の酸素含有量を高める効果を達成することが可能である。
【０００８】
（第二実施例）
本考案の第二実施例による高酸素含有浄水装置を図２に示す。第二実施例は、一部分の構造が上述した第一実施例と異なる。第二実施例では、給水道２２から螺旋管２４に流入する水流量と給水道２２から螺旋管２４に流入する出水圧力とを同時に調節するため、給水道２２の中に調節弁３を増設することが可能である。本実施例では調節弁３は流量制限弁である。
【０００９】
（第三実施例）
本考案の第三実施例による高酸素含有浄水装置を図３に示す。第三実施例では、給水道２２の中に少なくとも一つの横式フィルター４を装着し、螺旋管２４を横式フィルター４の中に配置し、螺旋管２４の両端を横式フィルター４の第三流入口４１と第三流出口４２に別々に接続することにより酸素含有量が高い原水を得ることが可能である。
【００１０】
（第四実施例）
本考案の第四実施例による高酸素含有浄水装置を図４に示す。第四実施例では、ポンプ２１によって第一次の気体液体混合が行われた原水を保存するため給水道２２の中に貯水圧力ドラム５を増設することが可能であり、かつ原水を貯水圧力ドラム５から輸送し、二次増圧を行うため貯水圧力ドラム５によって圧力を保持することが可能である。
【００１１】
（第五実施例）
本考案の第五実施例による高酸素含有浄水装置を図５に示す。第五実施例では、さらに気体液体混合装置２に気体液体混合ドラム２５を配置する。気体液体混合ドラム２５の底部には、制水弁座２６が配置されている。これにより、気体液体混合ドラム２５の中に密閉空間２７が形成される。螺旋管２４は密閉空間２７の中に設置される。本実施例では、螺旋管２４の一端が制水弁座２６の上部に装着される。制水弁座２６は、流入部２６１と流出部２６２を有する。流入部２６１は、給水道２２及び制水弁座２６の上部に装着される螺旋管２４に接続する。流出部２６２は、気体液体混合ドラム２５の密閉空間２７に接続する導流孔２６３を有する。
【００１２】
螺旋管２４は、さらに高圧出水口２８を有し、高圧出水口２８は扁平状の開口端２８１を有する。本実施例では、原水は螺旋管２４において気体液体混合が行われ、そののち高圧出水口２８の開口端２８１から送り出される。
高圧出水口２８の開口端２８１が扁平状に形成されていることにより水流道が徐々に小さくなるため、原水が開口端２８１まで流れる際の圧力は増加し、水流は高圧となって高圧出水口２８から噴出し、気体液体混合ドラム２５の密閉空間２７の一側に衝撃を与える。本実施例では、高圧出水口２８は気体液体混合ドラム２５の頂部の一側に対応する。
【００１３】
続いて、水分子は気体液体混合ドラム２５に衝突する際に本来の移動方向を変えるため、気体液体混合ドラム２５に衝突した高圧水流に本来の水流方向を変えさせ、気体液体混合ドラム２５の中に乱流を生じさせ、第三次の気体液体混合をスムーズに行うことが可能であり、かつ気体液体混合が行われた原水の水中に微細な気泡をより多く生じさせることが可能である。
【００１４】
浄水効果および気体液体混合効果を高めるため、本考案は気体液体混合ドラム２５の中に複数の顆粒状のフィルター２９を配置し、フィルター２９によって気体液体混合ドラム２５の中の原水をろ過し、そしてフィルター２９を互いに衝突させることにより気体液体混合をより均一かつ持続的に行い、水中の酸素含有量をより高くすることが可能である。
【００１５】
前述の三回の気体液体混合が行われた原水は大量の微細な気泡を含有する。即ち大量の空気を原水の中に混合することにより原水の酸素含有量が高くなるため、制水弁座２６の導流孔２６３によって原水を誘導し、流出部２６２から流出させることが可能である。
【００１６】
（第六実施例）
本考案の第六実施例による高酸素含有浄水装置を図６および図７に示す。第六実施例の、第五実施例との違いは次の通りである。高圧出水口２８Ａは、螺旋管２４Ａによって形成された範囲を貫通して露出する。気体液体混合ドラム２５は、更に少なくとも一つの第二給気弁２５１を有する。本実施例では、逆流止め弁を第二給気弁２５１として使用し、かつ第二給気弁２５１によって第二次の空気導入を行い、密閉空間２７において第四次の気体液体混合を行う。そして、第二給気弁２５１によって空気をより多く導入し、水中の酸素含有量をより高くする。
【００１７】
上述した複数の実施例の通り、本考案の長所は次の通りである。本考案は空気と原水とを同時にポンプに流入させ、ポンプの加圧によって空気と原水とを混合し、加圧を受けた気体および液体を螺旋管に流入させ、再び気体液体混合を行い、高圧水流によって高圧出水口から気体液体混合ドラムに噴射する。そして、第一、第二給気弁とフィルターとによって空気と原水とをより均一に混合するため、水中の酸素含有量を大いに高め、混合した後の原水に大量の微細な気泡を含有させることが可能なだけでなく、人体への吸収効果を大幅に高めることが可能である。
【００１８】
また、本考案は、水槽、水産養殖場またはそれに関連する水産養殖業などに適用することが可能である。本考案は、大型換気扇を設置することによって気体を注入する必要なく、水中の酸素含有量を増加させることが可能であるため、製造コストを低減させ、大型換気装置の設置に必要な空間と場所を省くことが可能となる。
【００１９】
上述した本考案の複数の実施例の構造は、それぞれ説明のための一例に過ぎないため、これにより請求範囲が制限されることはない。
【図面の簡単な説明】
【００２０】
【図１】本考案の第一実施例による高酸素含有浄水装置を示す模式図。
【図２】本考案の第二実施例による高酸素含有浄水装置を示す模式図。
【図３】本考案の第三実施例による高酸素含有浄水装置を示す模式図。
【図４】本考案の第四実施例による高酸素含有浄水装置を示す模式図。
【図５】本考案の第五実施例による高酸素含有浄水装置を示す模式図。
【図６】本考案の第六実施例による高酸素含有浄水装置を示す模式図。
【図７】本考案の第六実施例による高酸素含有浄水装置の使用状態を示す模式図。
【図８】従来の浄水装置を示す模式図。
【符号の説明】
【００２１】
１：フィルター、２：気体液体混合装置、３：調節弁、４：横式フィルター、５：貯水圧力ドラム、１１：第一流入口、１２：第一流出口、２１：ポンプ、２１１：第二流入口、２１２：第二流出口、２２：給水道、２３：第一給気弁、２４、２４Ａ：螺旋管、２５：気体液体混合ドラム、２５１：第二給気弁、２６：制水弁座、２６１：流入部、２６２：流出部、２６３：導流孔、２７：密閉空間、２８、２８Ａ：高圧出水口、２８１：開口端、２９：フィルター、４１：第三流入口、４２：第三流出口
【図１】
0003142261.tif 000003
【図２】
0003142261.tif 000004
【図３】
0003142261.tif 000005
【図４】
0003142261.tif 000006
【図５】
0003142261.tif 000007
【図６】
0003142261.tif 000008
【図７】
0003142261.tif 000009
【図８】
0003142261.tif 000010